(57)【要約】      （修正有）【課題】抗菌消臭機能の長期維持が可能な衛生マスク収納ケースを提供する。【解決手段】衛生マスク収納ケース１は、衛生マスクを収納し持ち運び可能な衛生マスク収納ケース１であって、重畳された一対のシートの少なくとも一部が連接されてなる外被２と、シートの少なくとも一方の内面に貼設された多孔質材３と、を備える。多孔質材３が、漆喰、石膏、紙材、繊維及び珪藻土からなる群から選択される少なくとも一種であるとよい。多孔質材３が、香料入りカプセルを含むとよい。さらに、発熱部材を備えるとよい。発熱部材が、高周波誘導発熱装置であるとよい。多孔質材３と発熱部材とが一体型であるとよい。多孔質材３内に、外部からの交流磁場を受領し発熱する閉回路が形成されているとよい。【選択図】図１
0003230033.tif 000002
【実用新案登録請求の範囲】
【請求項１】
衛生マスクを収納し持ち運び可能な衛生マスク収納ケースであって、
重畳された一対のシートの少なくとも一部が連接されてなる外被と、
上記シートの少なくとも一方の内面に貼設された多孔質材と、を備える衛生マスク収納ケース。
【請求項２】
上記多孔質材が、漆喰、石膏、紙材、繊維及び珪藻土からなる群から選択される少なくとも一種である請求項１に記載の衛生マスク収納ケース。
【請求項３】
上記多孔質材が、香料入りカプセルを含む請求項１又は請求項２に記載の衛生マスク収納ケース。
【請求項４】
さらに、発熱部材を備える請求項１、請求項２又は請求項３に記載の衛生マスク収納ケース。
【請求項５】
上記発熱部材が、高周波誘導発熱装置である請求項４に記載の衛生マスク収納ケース。
【請求項６】
上記多孔質材と上記発熱部材とが一体型である請求項４又は請求項５に記載の衛生マスク収納ケース。
【請求項７】
上記多孔質材内に、外部からの交流磁場を受領し発熱する閉回路が形成されている請求項６に記載の衛生マスク収納ケース。
【考案の詳細な説明】
【技術分野】
【０００１】
本考案は、衛生マスクを収納し持ち運びが可能な衛生マスク収納ケースに関する。
【背景技術】
【０００２】
近年、新型コロナウイルス等の病原微生物の流行により衛生マスクを着用する機会が増えている。生活をする上で衛生マスクを外すことが致し方ない場面に遭遇することがあるが、その際衛生マスクの置き場に窮する場合がある。このような場面に使用できるものとして、一方長手側縁を縫い合わせると共に、他方長手側縁及び両方側縁と連なる左右短手側縁をファスナーにて閉塞される上下カバーにより構成されたマスク保管ケースが考案されている（実用新案登録第３１５８１５９号公報参照）。かかるマスク保管ケースは、上下カバーの裏地に抗菌消臭加工を施した生地を使用しており、マスクを衛生的に保管することができるとされている。
【先行技術文献】
【特許文献】
【０００３】
【特許文献１】登録実用新案第３２０７２５０号公報
【考案の概要】
【考案が解決しようとする課題】
【０００４】
しかしながら、上記特許文献１によれば、裏地に抗菌消臭加工を施した生地を使用しているが、生地は抗菌消臭加工処理された層を保持し維持する機能が低く、抗菌消臭機能が長く持続しないという不都合がある。
【０００５】
本考案は、上記事情に鑑みてなされたものであり、抗菌消臭機能の長期維持が可能な衛生マスク収納ケースの提供を目的とするものである。
【課題を解決するための手段】
【０００６】
上記課題を解決するためになされた本考案の一態様に係る衛生マスク収納ケースは、衛生マスクを収納し持ち運び可能な衛生マスク収納ケースであって、重畳された一対のシートの少なくとも一部が連接されてなる外被と、上記シートの少なくとも一方の内面に貼設された多孔質材と、を備えることを特徴とする。
【０００７】
当該衛生マスク収納ケースは、多孔質材を使用しているため、抗菌消臭効果を長期に保持し維持することができる。
【０００８】
上記多孔質材が、漆喰、石膏、紙材及び繊維からなる群から選択される少なくとも一種であるとよい。上記多孔質材を、漆喰、石膏、紙材、繊維及び珪藻土からなる群から選択される少なくとも一種とすることで、抗菌消臭効果をより長期的に維持することができる。
【０００９】
上記多孔質材が、香料入りカプセルを含むとよい。上記多孔質材に香料入りカプセルを含有させることで、消臭効果に重畳して悪臭を包み込む効果を奏することができる。
【００１０】
本考案の一態様に係る衛生マスク収納ケースは、さらに、発熱部材を備えるとよい。衛生マスク収納ケースにさらに発熱部材を設けることで、抗菌効果を飛躍的に向上させることができる。
【００１１】
上記発熱部材が、高周波誘導発熱装置であるとよい。上記発熱部材を高周波誘導発電装置とすることで、備え付けの電力供給源を省くことができ、衛生マスク収納ケースの小型化を図ることができる。
【００１２】
上記多孔質材と上記発熱部材とが一体型であるとよい。上記多孔質材と上記発熱部材とを一体型とすることで、当該衛生マスク収納ケースをより一層小型化することができる。
【００１３】
上記多孔質材内に、外部からの交流磁場を受領し発熱する閉回路が形成されているとよい。このように上記多孔質材内に、外部からの交流磁場を受領し発熱する閉回路を形成することで、上記多孔質材と上記発熱部材との一体化を図ることができ、当該衛生マスク収納ケースの小型化を図ることができる。
【考案の効果】
【００１４】
本考案によれば、抗菌消臭機能の長期維持が可能な衛生マスク収納ケースを提供することができる。
【図面の簡単な説明】
【００１５】
【図１】図１は、本考案の第一実施形態に係る衛生マスク収納ケースの模式的正面図である。
【図２】図２は、図１に係る衛生マスク収納ケースの模式的展開図である。
【図３】図３は、図１に係る衛生マスク収納ケースの模式的断面図である。
【図４】図４は、本考案の第二実施形態に係る衛生マスク収納ケースの模式的展開図である。
【図５】図５は、図４に係る衛生マスク収納ケースの模式的断面図である。
【図６】図６は、本考案の第三実施形態に係る衛生マスク収納ケースの模式的展開図である。
【図７】図７は、図６に係る衛生マスク収納ケースの模式的断面図である。
【考案を実施するための形態】
【００１６】
以下、適宜図面を参照しつつ本考案の実施の形態を詳細に説明する。本実施の形態は、本考案の理解を容易にするためのものであって、本考案を限定するものではない。以下の説明では、必要に応じて特定の方向や位置を示す用語（例えば、「上」、「下」を含む用語）を用いるが、その用語の使用は図面を参照した考案の理解を容易にするためであって、それらの用語の意味によって本考案の技術的範囲は限定されない。
【００１７】
＜第一実施形態＞
図１は、本考案の第一実施形態に係る衛生マスク収納ケースの模式的正面図、図２は、その模式的展開図、図３は、その模式的断面図である。図１の衛生マスク収納ケース１は、重畳された一対のシートの少なくとも一部が連接されてなる外被２と、上記シートの少なくとも一方の内面に貼設された多孔質材３と、を備え、衛生マスクを収納し持ち運びが可能である。以下、衛生マスク収納ケースの各構成要素について詳細に説明する。
【００１８】
（外被）
図１に示すように、外被２は、略長方形を有する一対のシートが重畳され、一方長辺同士が連接されている。連接されていない他方長辺部分が開口可能であり、この部分から衛生マスクを収容することができる。図１に示すように、一枚のシートの長辺中央を短辺と平行に二つ折りすることで外被２としてもよい。
【００１９】
外被２を構成する材料としては、特に限定されるものではなく、例えば無機物質粉末高配合薄膜シート、合成樹脂シート、紙素材等が用いられる。使用可能な無機物質粉末高配合薄膜シートとしては、例えば石灰石を主成分とするストーンペーパー（ＬＩＭＥＸ（登録商標））等が挙げられる。また、使用可能な合成樹脂としては、例えばポリエチレン系樹脂、ポリプロピレン系樹脂、環状ポリオレフィン系樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリ塩化ビニル系樹脂、フッ素系樹脂、ポリ（メタ）アクリル系樹脂、ポリカーボネート系樹脂、ポリエステル系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、ポリウレタン系樹脂、アセタール系樹脂、セルロース系樹脂等が挙げられる。上記樹脂の中でも、高い耐久性を有し強度に優れるポリエステル系樹脂、フッ素系樹脂及び環状ポリオレフィン系樹脂が好ましく、ポリエステル系樹脂が特に好ましい。また、使用可能な紙素材としては、例えば未晒クラフト紙、晒クラフト紙、上質紙、中質紙、片艶未晒クラフト紙、純白ロール、グラシン紙、感熱紙、感圧紙、合成紙、和紙、トレーシングペーパー、各種コート紙、板紙、ライナー紙等が挙げられる。
【００２０】
なお、外被２の材料としては、上記のものを１種又は２種以上混合して使用してもよい。また、外被２の材料中には、加工性、耐熱性、耐候性、機械的性質、寸法安定性等を改良、改質する目的で、種々の添加剤等を混合することができる。この添加剤としては、例えば滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等が挙げられる。一方、外被２の材料中には添加剤等を混合せず、添加剤等を排除してもよい。添加剤は健康に悪影響を与える可能性があり、外被２から添加剤を排除することで衛生マスクによる人体に対する健康被害を抑制することができる。
【００２１】
（多孔質材）
図１に示すように、多孔質材３は、外被２を構成する一対のシートの一方側に貼設されている。衛生マスク（不図示）の収納時、多孔質材３が衛生マスク（不図示）に接し、衛生マスクに対して抗菌消臭機能を発揮する。
【００２２】
多孔質材３の形状としては、特に限定されるものではないが、例えば矩形シート状等が挙げられる。
【００２３】
多孔質材３を構成する材料としては、特に限定されるものではなく、例えば漆喰、石膏、紙材、繊維、珪藻土等が用いられる。中でも多孔質材３を構成する材料としては特に漆喰が好ましい。多孔質材３を構成する材料として漆喰を用いることで、衛生マスクに対する抗菌性・消臭性を向上させることができる。
【００２４】
多孔質材３の材料中には、種々の添加剤等を混合してもよい。この添加剤としては、上記同様、例えば滑剤、架橋剤、酸化防止剤、紫外線吸収剤、光安定化剤、充填剤、強化繊維、補強剤、帯電防止剤、難燃剤、耐炎剤、発泡剤、防カビ剤、顔料等が挙げられる。一方、多孔質材３の材料中には添加剤等を混合せず、添加剤等を排除してもよい。添加剤は健康に悪影響を与える可能性があり、多孔質材３から添加剤を排除することで衛生マスクによる人体に対する健康被害を抑制することができる。
【００２５】
多孔質材３の厚み（平均厚み）の下限としては、０．０５ｍｍが好ましく、１．０ｍｍがより好ましく、２．０ｍｍがさらに好ましい。一方、多孔質材３の厚み（平均厚み）の上限としては、１０．０ｍｍが好ましく、８．０ｍｍがより好ましく、６．０ｍｍがさらに好ましい。多孔質材３の厚みが上記下限未満であると、耐久性を維持することが難しく、衛生マスクとの摩擦により多孔質材３が破損する虞がある。逆に、多孔質材３の厚みが上記上限を超えると、衛生マスク収納ケースの小型化及び軽量化の要請に反し持ち運びが困難になる可能性がある。
【００２６】
多孔質材３は、香料入りカプセルを含有するとよい。多孔質材３に香料入りカプセルを含有させることで、消臭効果に重畳して悪臭を包み込む効果を奏することができる。
【００２７】
（利点）
当該衛生マスク収納ケースは、多孔質材を使用しているため、抗菌消臭効果を長期に保持し維持することができる。特に多孔質材が漆喰からなる場合は漆喰が持つ抗菌作用により衛生マスク収納ケースの抗菌効果を向上させることができる。
【００２８】
＜第二実施形態＞
図４は、本考案の第二実施形態に係る衛生マスク収納ケースの模式的展開図、図５は、その模式的断面図である。第二実施形態に係る衛生マスク収納ケース１は、外被２の一方のシートと多孔質材３との間に発熱部材６を備える。第一実施形態に係る衛生マスク収納ケース１は発熱部材６を有しないのに対して、第二実施形態に係る衛生マスク収納ケース１は、これを有する点で異なる。本実施形態において、発熱部材６以外の構成要素は第一実施形態と同様であるため、第一実施形態の衛生マスク収納ケース１と同じ構成要素には同じ符号を付して、重複する説明を省略する。
【００２９】
（発熱部材）
発熱部材６としては、衛生マスク（不図示）に対する抗菌作用を補助する程度に加熱できるものであれば如何なるものであってもよく、例えばグラフェン発熱シートを備えるグラフェンヒータ、セラミック発熱シートを備えるセラミックヒータ等を挙げることができる。中でもグラフェン発熱シートを備えるグラフェンヒータが好ましい。発熱部材６としてグラフェン発熱シートを備えるグラフェンヒータを用いることで、熱による殺菌作用により衛生マスク収納ケース１が持つ抗菌性能を助力するとともに、グラフェン発熱シートは嵩張らないので、衛生マスク収納ケース１の小型化・薄型化を図ることができる。
【００３０】
発熱部材６は、外被２の一方のシートと一方の多孔質材３との間、及び、外被２の他方のシートと他方の多孔質材３との間の両方に設けられていてもよい。このように発熱部材６を外被２の一方のシートと一方の多孔質材３との間、及び、外被２の他方のシートと他方の多孔質材３との間の両方に設けることで、発熱性を向上させることができ、抗菌効果をさらに向上させることができる。
【００３１】
（利点）
当該衛生マスク収納ケース１は、多孔質材３を有するため、抗菌消臭効果を長期に保持し維持することができるとともに、発熱部材６を有するため、抗菌効果をさらに向上させることができる。
【００３２】
＜第三実施形態＞
図６は、本考案の第三実施形態に係る衛生マスク収納ケースの模式的展開図、図７は、その模式的断面図である。第三実施形態に係る衛生マスク収納ケース１は、外被２の一方のシートの内側に多孔質材と発熱部材とが一体となった多孔質発熱部材８を備える。第二実施形態に係る衛生マスク収納ケース１は多孔質材と発熱部材とが別体であるのに対して、第三実施形態に係る衛生マスク収納ケース１は、これらが一体となっている点で異なる。本実施形態において、多孔質発熱部材８以外の構成要素は第一実施形態又は第二実施形態と同様であるため、図１の衛生マスク収納ケース１と同じ構成要素には同じ符号を付して、重複する説明を省略する。
【００３３】
（多孔質発熱部材）
多孔質発熱部材８としては、例えば高周波誘導磁界を受ける閉回路が埋設された漆喰等を挙げることができる。多孔質発熱部材８として高周波誘導磁界を受ける閉回路が埋設された漆喰を用いることで、衛生マスク収納ケース１の小型化・薄型化を図ることができる。
【００３４】
高周波誘導磁界を受ける閉回路の形状としては、特に限定されるものではないが、円形等を挙げることができる。高周波誘導磁界を受ける閉回路の形状を円形とすることで、均熱性を向上させることができる。
【００３５】
多孔質発熱部材８は、外被２の一方のシートの内側、及び、外被２の他方のシートの内側の両方に設けられていてもよい。このように発熱部材６を外被２の一方のシートの内側、及び、外被２の他方のシートの内側の両方に設けることで、発熱性を向上させることができ、抗菌効果をさらに向上させることができる。
【００３６】
（利点）
当該衛生マスク収納ケース１は、多孔質発熱部材８を有するため、抗菌消臭効果を長期に保持し維持することができるとともに、抗菌効果をさらに向上させることができ、さらに衛生マスク収納ケース１の小型化・薄型化を図ることができる。
【実施例】
【００３７】
以下、実施例に基づき本考案を詳述するが、この実施例の記載に基づいて本考案が限定的に解釈されるものではない。
【００３８】
［実施例１］
厚さ０．５ｍｍのＬＩＭＥＸ（登録商標）製シートを角の落ちた略矩形状に切り抜いた。切り抜いたシートの大きさは、縦１５０ｍｍ×横２１０ｍｍであった。このシートを横方向中央にて二つ折りにしてこれを外被２とした。この外被２の両方の内側面に粘着剤を塗工し、これらに多孔質材３として厚さ０．５ｍｍ、縦１４３ｍｍ×横１００ｍｍの漆喰シートをそれぞれ貼り合わせることで、実施例１の衛生マスク収納ケース１を得た。
【００３９】
［比較例１］
多孔質材３を設けないこと以外は上記実施例１と同様にして比較例１の衛生マスク収納ケース１を得た。
【００４０】
［特性の評価］
上記実施例１及び上記比較例１の衛生マスク収納ケース１の消臭性能・抗菌性能を評価した。その結果を下記表１に示す。
【００４１】
消臭性能は、衛生マスク収納ケース１を５リットルのテドラー（登録商標）バッグに所定濃度の硫化水素又はメチルメルカプタンを含有する空気とともに入れ、２４時間後にそれぞれの化合物がどれだけ減少したかを測定することで評価した。当該評価は、５つのサンプルについて行い、その平均値を採用した。
◎：減少率が７５％以上
○：減少率が５０％以上７５％未満
△：減少率が２５％以上５０％未満
×：減少率が２５％未満
【００４２】
抗菌性能は、衛生マスク収納ケース１の多孔質材３の表層に菌を含有する液体を接触させ、１５分後に液中の菌の残存量を測定し残存率を算出することで評価した。当該評価は、５つのサンプルについて行い、その平均値を採用した。
◎：残存率が０％以上２５％未満
〇：残存率が２５％以上５０％未満
△：残存率が５０％以上７５％未満
×：残存率が７５％以上
【００４３】
【表１】
0003230033.tif 000003
【００４４】
上記表１に示すように、実施例１の衛生マスク収納ケース１は優れた消臭性能及び抗菌性能を示した。
【符号の説明】
【００４５】
１  衛生マスク収納ケース
２  外被
３  多孔質材
６  発熱部材
８  多孔質発熱部材
【図１】
0003230033.tif 000004
【図２】
0003230033.tif 000005
【図３】
0003230033.tif 000006
【図４】
0003230033.tif 000007
【図５】
0003230033.tif 000008
【図６】
0003230033.tif 000009
【図７】
0003230033.tif 000010